(57)【要約】      （修正有）【課題】引込まれ防止用のシールド部材を用いても圧迫感がなく、巻取用の弾性体が不要で、上下方向の長さに制限がない扉装置を得る。【解決手段】扉４が開く方向の扉前端部４ａ及び扉後端部４ｂ室内側に上下方向に設けられた第１の開口部５及び第２の開口部６と、これら第１の開口部及び第２の開口部からそれぞれ転動面を露出させる如く回転軸を上下方向に向けて回動自在に設けられた第１のローラ７及び第２のローラ８と、ループ状に形成され出入口枠３と扉の隙間部分に係止部１０ａを有し、該係止部から扉の室内側表面を覆って第１の開口部に至り、第１の開口部から第１のローラに巻き掛けられた後、扉の内部を通って第２のローラに至り、第２のローラから第２の開口部を経て上の室内側方向に引き出され、係止部に戻るように設けられたシールド部材１０と、このシールド部材の係止部を出入口枠の室外側部に固定する係止手段１１とを備えた。【選択図】図３
2007168952.tif 000002
【特許請求の範囲】
【請求項１】
室の出入口枠の室外側部に配設された扉を左右方向に移動させて出入口を開閉する扉装置において、上記扉の室内側の面における、該扉が開く方向の扉前端部及び扉後端部にそれぞれ上下方向に設けられた第１の開口部及び第２の開口部と、これら第１の開口部及び第２の開口部からそれぞれ転動面を露出させる如く回転軸を上下方向に向けて上記扉に回動自在に設けられた第１のローラ及び第２のローラと、ループ状に形成され、上記出入口枠と上記扉の隙間部分に係止部を有し、該係止部から上記扉の室内側表面を覆って上記第１の開口部に至り、この第１の開口部から上記第１のローラに巻き掛けられた後、上記扉の内部を通って上記第２のローラに至り、上記第２のローラから上記第２の開口部を経て上記扉の室内側方向に引き出され、上記係止部に戻るように設けられたシールド部材と、このシールド部材の上記係止部を上記出入口枠の室外側部に固定する係止手段とを備えたことを特徴とする扉装置。
【請求項２】
上記第１のローラ及び第２のローラの間に、上記シールド部材に張りを持たせるための張りローラを備えてなることを特徴とする請求項１に記載の扉装置。
【請求項３】
上記シールド部材は、無端状に形成されたシート材からなることを特徴とする請求項１または請求項２に記載の扉装置。
【請求項４】
上記シールド部材は、画像情報類が表示されてなることを特徴とする請求項１ないし請求項３の何れかに記載の扉装置。
【請求項５】
上記出入口は、エレベータの乗場またはかごの出入口であることを特徴とする請求項１ないし請求項４の何れかに記載の扉装置。
【発明の詳細な説明】
【技術分野】
【０００１】
この発明は、例えばエレベータのかごや乗場の開閉扉などとして好ましく用いることができる扉装置に関し、特に指などの引き込まれを防止した安全性の向上された扉装置に関する。
【背景技術】
【０００２】
従来のエレベータなどに用いられる安全性を図った開閉扉としては、例えばかごの前側板間に構成される出入口に、左右に開閉するかご扉を備えたエレベータにおいて、前記かご扉前端に、一端が前記前側板の内側に固定され、他端がかご扉内部に収納されかつ、弾性体によって支持された柔軟性シートを備え、この柔軟性シートによって、前記かご扉開閉時、このかご扉と前側板との間隙を覆うようにしたものがある（例えば、特許文献１参照。）。
【０００３】
【特許文献１】特開２００２−２００６６号公報（第１図、図２）
【発明の開示】
【発明が解決しようとする課題】
【０００４】
上記のような従来の扉装置では、次のような課題があった。
１）かご扉が開く時に柔軟性シート（シールド部材）がエレベータかご内に張り出す形で展開されるので、乗客が圧迫感を感じたり、柔較性シートによって乗客が押されることがある。
２）柔軟性シートの巻き取りを行わせるために巻き取り用の弾性体を用いているので、扉を閉める際に弾性体を引き伸ばすための大きな力が必要となり、扉が捻られる方向に力が掛かったり、扉の開閉に大きな負荷がかかる。
３）柔軟性シートが張り出された時、柔軟性シートの内側に三角形の空間ができて、ここに人の手や物が入ると引き込まれる惧があるため、柔軟性シートの取付けは上部から下部まで全長に渡って取付ける必要がある。
【０００５】
この発明は、かかる従来技術の課題を解決するためになされたもので、圧迫感を感じることがなく、巻き取り用の弾性体が不要で、扉の開閉に特別な負担がなく、シールド部材の上下方向の長さに自由度がある扉装置を提供することを目的としている。
【課題を解決するための手段】
【０００６】
この発明に係る扉装置は、室の出入口枠の室外側部に配設された扉を左右方向に移動させて出入口を開閉する扉装置において、上記扉の室内側の面における、該扉が開く方向の扉前端部及び扉後端部にそれぞれ上下方向に設けられた第１の開口部及び第２の開口部と、これら第１の開口部及び第２の開口部からそれぞれ転動面を露出させる如く回転軸を上下方向に向けて上記扉に回動自在に設けられた第１のローラ及び第２のローラと、ループ状に形成され、上記出入口枠と上記扉の隙間部分に係止部を有し、該係止部から上記扉の室内側表面を覆って上記第１の開口部に至り、この第１の開口部から上記第１のローラに巻き掛けられた後、上記扉の内部を通って上記第２のローラに至り、上記第２のローラから上記第２の開口部を経て上記扉の室内側方向に引き出され、上記係止部に戻るように設けられたシールド部材と、このシールド部材の上記係止部を上記出入口枠の室外側部に固定する係止手段とを備えている。
【発明の効果】
【０００７】
この発明においては、シールド部材を出入口枠と扉の隙間部分から扉の室内側表面を覆うように設けてかごとシールド部材との相対的な動きを無くしたことにより、圧迫感を感じることがなく、シールド部材の上下方向の長さに自由度がある。また、巻き取り用の弾性体が不要であるため、扉の開閉に特別な負荷がかからない。
【発明を実施するための最良の形態】
【０００８】
実施の形態１．
図１〜図９はこの発明の実施の形態１による扉装置をエレベータの扉に用いた例を概念的に説明するもので、図１は、エレベータのかごのドアが閉まった状態を示す正面図、図２は図１のＩＩ−ＩＩ線における矢視断面図、図３は図２の円Ａで囲む部分の詳細断面図、図４は図１の状態から扉が半分開いた状態を示す正面図、図５は図４のＶ−Ｖ線における矢視断面図、図６は図５の円Ｂで囲む部分の詳細断面図、図７は図４の状態から扉が開放された状態を示す正面図、図８は図７のＶＩＩＩ−ＶＩＩＩ線における矢視断面図、図９は図８の円Ｃで囲む部分の詳細断面図である。なお、各図を通じて同一符号は同一もしくは相当部分を示すものとする。
【０００９】
図において、エレベータのかご１の出入口２を形成する出入口枠３の室（かご室）外側左右には、該出入口枠３に近接して配設された２枚の扉４がそれぞれ左右方向に連動して移動可能に設けられている。扉４の室内側の面には、該扉４が開くときの扉前端部４ａ及び扉後端部４ｂに、それぞれ上下方向にスリット状に設けられた第１の開口部５及び第２の開口部６が設けられている。そして扉４には、これら第１の開口部５及び第２の開口部６からそれぞれ転動面を露出させる如く回転軸を上下方向に向けた第１のローラ７及び第２のローラ８が回動自在に設けられ、さらにこの例では扉４の左右方向中央部に張りローラ９が回動自在に設けられている。なお、上記第１のローラ７は扉４の室内側角部に配設されており、表面部材には例えばゴム弾性を有する柔軟な材料が用いられる。なお、各ローラ７〜９の軸受やその扉４への支持部材は図示省略している。
【００１０】
そして、これら３つのローラ、即ち第１のローラ７、第２のローラ８、張りローラ９には、無端のループ状に形成されたシート材からなるシールド部材１０が第１のローラ７から扉４の内部を通って、張りローラ９を経て第２のローラ８に巻き掛けられた後、第２の開口部６から扉４の室内側表面部の出入口２内側方向に引き出され、該扉４の室内側表面に沿って第１の開口部５に至り、該第１の開口部５から扉４の内部に挿入されて上記第１のローラ７に戻って該第１のローラ７に巻き掛けられている。上記シールド部材１０の扉４と出入口枠３の隙間部分には、係止穴を有する係止部１０ａが上下方向に複数設けられている。そして、出入口枠３には、シールド部材１０を出入口枠３に固定するための止め棒１１ａを挿通する挿通穴３ａ、３ｂが、シールド部材１０の係止部１０ａに対応して上下方向に複数（この例では２箇所）設けられている。
【００１１】
止め棒１１ａは、かご１の室内側から挿通穴３ａ、３ｂ、及び係止部１０ａに貫通されて、止め棒１１ａの根元を固定する保持部材１１ｂが出入口枠３に固定ボルト１１ｃによって固定されている。なお、上記挿通穴３ａ、３ｂ、止め棒１１ａ及び固定ボルト１１ｃによってシールド部材１０を上記出入口枠３に固定する係止手段１１を構成している。なお、扉４のかご１室内側の面には、点検用の蓋４ｃが扉４本体に対して着脱可能に設けられている。なお、上記シールド部材１０は、図１に示すように扉４の中央部で、指などの引き込まれ事故の起こる範囲をカバーする所望の高さ範囲に形成され、この例では左右２枚の扉４に対照的に設けられている。また、乗場壁１２の昇降路側（図２の上側）には、かご１の扉４と連動して開閉される乗場ドア１３が設けられている。
【００１２】
次に、上記のように構成された実施の形態１の動作について説明する。まず、図１〜図３は扉４が閉まった状態を示しており、ループ状のシールド部材１０は第１のローラ７、及び第２のローラ８に巻き掛けられ、張りローラ９によって適度な緊張状態に張られ、かご１の内部から見ると、幅方向には扉４の全面に渡り、扉４の室内側面を構成する点検用の蓋４ｃ表面に沿って覆う状態で平面状に設けられている。シールド部材１０自体は、第１のローラ７、第２のローラ８、及び張りローラ９の３つのローラに対して、左右方向に滑らかに移動自在に取付けられているが、扉４を閉めたときの扉４と出入口枠３の隙間に位置する所定部に設けられた係止部１０ａが係止手段１１によって出入口枠３に係止されているので、例えば保守点検時等を除いて動かすことはできない。
【００１３】
図４〜図６に示すように、扉４が開いていくと、図６に示す第２のローラ８がシールド部材１０を矢印Ｄ方向に引っ張るが、扉４のかご１室内に面する部分１０ｂは係止手段１１によって出入口枠３に固定されているので、かご１及び蓋４ｃに対して相対的に動かず、図の下側部分１０ｃが扉４の開くスピードと同じ速さで引かれ、第２のローラ８、張りローラ９、第１のローラ７を時計方向（図６の左側の扉の場合）に回転させて、扉４の表面に見えていた部分１０ｂを扉前端部４ａから上記スピードと同じ速さで連続的に取り込んでいく。従って、かご１室内から見えるシールド部材１０は、かご１との相対的な動きは無い。
【００１４】
図７〜図９はエレベータの扉４が開き終わった状態を示しており、シールド部材１０は扉前端部４ａから扉４内部に完全に取り込まれた状態になっている。
一方、エレベータの扉４が閉まる際は、上記と全く逆の手順となる。即ち、扉４が閉まり始めると同時に、第１のローラ７が図９の右方向にシールド部材１０を引っ張り、扉前端部４ａ側の第１の開口部５から扉４の閉まる速度に連動してシールド部材１０を扉４の、かご１室内側表面に繰り出して扉４表面を覆う状態でシールド部材１０を緩み無く張っていく。このときもかご１内から見えるシールド部材１０は、かご１との相対的な動きは無い。
【００１５】
上記のように、この発明の実施の形態１によれば、扉４が開き始めても該扉４の表面に張られたシールド部材１０は動かずに、出入口枠３とシールド部材１０間での相対的な動きを無くすことで、乗客が出入口枠３と扉４の隙間に挟み込まれることを防止したもので、次のような顕著な効果が得られる。
１）シールド部材１０をエレベータの扉４の表面に沿わせる状態で張る為に、かご１内に張り出すこと無く、乗客は圧迫感を感じることなく安全に安心して乗降できる。
２）シールド部材１０を送る動作に対して特に機械的な動力、装置を必要とせずにエレベータの扉４の通常の開閉動作に拠って容易にシールド部材１０を張るので、扉４が捻られる方向に力が掛かったり、扉４の開閉に大きな負荷が掛かることを防止できる。
３）エレベータの扉４にのみシールド部材１０を張る構造としているため、かご１内の操作ボタン等の指示パネル（詳細図示省略）の取付け位置が制限されたり、室内の見栄え環境が悪くなることがない。
【００１６】
４）シールド部材１０を扉４の上部から下部の全面に張る必要が必ずしも無く、引き込まれの惧れのある必要最小限の範囲に適宜張ることが可能である。
５）シールド部材１０を必要最小限の範囲に張る為に、コンパクトで軽量化でき、シールド部材１０は上下２ヵ所の係止手段１１で保持されることで、シワが出来たり下に垂れ下がったりすることが防止できる。
６）シールド部材１０を固定するための係止部１０ａ及び係止手段１１の数を増やすことで、扉４の上部から下部までの全長に渡りシールド部材１０を張ることもでき、下に垂れ下がったりすることが防止できる。
７）扉４室内側に設けた点検窓の蓋４ｃを開けることで、シールド部材１０の取付け、取外しなどのメンテナンスを容易に出来る。
【００１７】
実施の形態２．
図１０はこの発明の実施の形態２による扉装置の要部を示す断面図である。図において、出入口枠３の出入口２側の面には開口部３ｃが設けられている。そして、係止手段１１はＬ字形に曲げられた上下方向に複数設けられた止め棒１１ｄと、この止め棒１１ｄの根元を固定する開口部３ｃの蓋を兼ねる保持部材１１ｅと、固定ボルト１１ｃから構成されている。その他の構成は上記実施の形態１と同様であるので説明を省略する。
【００１８】
上記のように構成された実施の形態２では、開口部３ｃと挿通穴３ａの位置が近く、また開口部３ｃがあることでシールド部材１０の係止部１０ａに対する係合作業が容易に行える。また、１つの保持部材１１ｅに複数の止め棒１１ｄを設けることもできるので、実施の形態１の効果に加えて、係合作業が簡単にできるなどの効果が得られる。
【００１９】
なお、上記実施の形態１、２で示したシールド部材１０は、透明な材料を用いても良いし、所望により例えば風景、写真、ビル内の催し物案内等各種広告類、絵文字情報等の画像情報を表示しても良い。風景等の心和ませる画を載せた場合には、乗客の乗り心地を良いものにすることもできるし、広告効果を期待することもできる。また、シールド部材１０を扉４の全面、あるいは乗場ドア１３の全面に張ることにより、扉の汚損等があっても扉のリプレースをすることなく、シールド部材１０のみ交換することで、容易で安価な扉部の見栄えを得ることができる。
【００２０】
また、シールド部材１０は無端のループ状に形成したが、ループは必ずしも無端状のものに限定されるものではなく、例えば所定長のシート材の一端部及び他端部を出入口枠３の例えば挿通穴３ａ近傍部分に固定しても良い。その場合は、固定した部分で分断されたループ状となっている。また、シールド部材１０は全長にわたって一様なシート材である必要はなく、例えば、常時扉４の内部に位置する部分は複数の帯状の材料に変えても差し支えない。また、係止手段１１と係止部１０ａは、棒状部材と係止穴との組み合わせに限定されないことは当然である。また、出入口枠３は枠体として室の壁と別に構成されたものに限定されず、室の壁が出入口枠を兼ねたものでもよい。さらに、シールド部材１０にゴム弾性を有するものを用いて、張りローラ９を省略しても良い。さらに、蓋４ｃは室外側に設けても差し支えない。
【００２１】
さらにまた、上記実施の形態１及び２では、エレベータのかご１と扉４の間にシールド部材１０を設けるように構成したが、乗場壁１２と、乗場ドア１３に設置してもよく、このような構成によっても同様の動作を行わせることができる。さらにまた、例えば電車の乗降扉など、エレベータ以外の扉に適用しても同様の効果が得られることは勿論である。また、この発明を応用して、扉が開くとき、該扉が壁体の凹部の中に引き込まれる方式の場合、扉の内外両面にシールド部材を設けることができることも明らかである。また、開閉の際に複数枚の扉が同一方向に移動するように構成された扉装置でも適用できる。
【図面の簡単な説明】
【００２２】
【図１】この発明の実施の形態１による扉装置を用いたエレベータのかごの扉が閉まった状態を示す正面図である。
【図２】図１のＩＩ−ＩＩ線における矢視断面図である。
【図３】図２の円Ａで囲む部分の詳細断面図である。
【図４】図１の状態から扉が半分開いた状態を示す正面図である。
【図５】図４のＶ−Ｖ線における矢視断面図である。
【図６】図５の円Ｂで囲む部分の詳細断面図である。
【図７】図４の状態から扉が開放された状態を示す正面図である。
【図８】図７のＶＩＩＩ−ＶＩＩＩ線における矢視断面図である。
【図９】図８の円Ｃで囲む部分の詳細断面図である。
【図１０】この発明の実施の形態２による扉装置の要部を示す断面図である。
【符号の説明】
【００２３】
１  かご、  ２  出入口、  ３  出入口枠、  ３ａ、３ｂ  挿通穴、  ３ｃ  開口部、  ４  扉、  ４ａ  扉前端部、  ４ｂ  扉後端部、  ４ｃ  蓋、  ５  第１の開口部、  ６  第２の開口部、  ７  第１のローラ、  ８  第２のローラ、  ９  張りローラ、  １０  シールド部材、  １０ａ  係止部、  １１  係止手段、  １１ａ  止め棒、  １１ｂ  保持部材、  １１ｃ  固定ボルト、  １１ｄ  止め棒、  １１ｅ  保持部材、  １２  乗場壁、  １３  乗場ドア。
【図１】
2007168952.tif 000003
【図２】
2007168952.tif 000004
【図３】
2007168952.tif 000005
【図４】
2007168952.tif 000006
【図５】
2007168952.tif 000007
【図６】
2007168952.tif 000008
【図７】
2007168952.tif 000009
【図８】
2007168952.tif 000010
【図９】
2007168952.tif 000011
【図１０】
2007168952.tif 000012